(57)【要約】【課題】  多機能化に対応するために１つのボタンに複数の機能を割り当てることがなされており、リモコンに表示されている機能説明用の表示（機能表示）はスペースが大きく取れないので簡単な言葉でしか表示されず操作が苦手なユーザにとってはさらに使いづらいことになっている。さらに、やりたい行為（機能操作）とボタンの表示内容とがわかりにくい。【解決手段】  電子機器装置の機能を操作するための第１のリモートコントロール装置及び第２のリモートコントロール装置を備えたリモートコントロール装置であって、所定の機能を操作するため押下する第１のリモートコントロール装置のボタンの表示内容と第２のリモートコントロール装置のボタンの表示内容とを変えるものがあることを特徴とする。【選択図】  図２
2008042788.tif 000002
【特許請求の範囲】
【請求項１】
電子機器装置において、前記電子機器の機能を操作するための第１のリモートコントロール装置及び第２のリモートコントロール装置を備え、
所定の機能を操作するため押下する第１のリモートコントロール装置のボタンの表示内容と第２のリモートコントロール装置のボタンの表示内容とが異なることを特徴とする電子機器装置。
【請求項２】
請求項１記載の電子機器装置において、
前記第１のリモートコントロール装置は複数の機能を操作するための複数のボタンを備えた標準リモートコントロール装置であり、
前記第２のリモートコントロール装置は前記第１のリモートコントロール装置で操作可能な機能の内の一部分の機能を操作するためのリモートコントロール装置であり、前記第１のリモートコントロール装置のボタン数より少ない複数のボタンを備えた簡単リモートコントロール装置であることを特徴とする電子機器装置。
【請求項３】
請求項１乃至２のいずれか一つに記載の電子機器装置であって、
前記所定の機能とは番組表表示機能、記録番組一覧表示機能、番組消去機能の内１つ以上であることを特徴とする電子機器装置。
【請求項４】
請求項１乃至３のいずれか一つに記載の電子機器装置において、
前記第1のリモートコントロール装置のボタンの表示内容と、前記第２のリモートコントロール装置のボタンの表示内容とが相違していても、それぞれのボタンを押下したときに電子機器装置へ送信するリモコンコードが同じものであることを特徴とする電子機器装置。
【発明の詳細な説明】
【技術分野】
【０００１】
本発明は、特にリモートコントロール装置を利用して操作可能な電子機器装置に関するものである。
【背景技術】
【０００２】
本技術分野の背景技術として、例えば、特許文献１がある。該公報には、課題として「ＡＶ機器の操作が苦手なユーザから得意なユーザまで、様々なユーザに適した視認性および操作性を有するＡＶ機器を提供する。」と記載され、解決手段として「本発明の装置は、複数の制御機器からの指示に基づいて動作することが可能な装置であって、複数の制御機器は第１制御機器と第２制御機器とを含み、第１制御機器は装置に所定の動作を実行させるために第１制御信号を装置へ出力し、第２制御機器は装置に所定の動作を実行させるために第２制御信号を装置へ出力し、装置は、第１制御信号および第２制御信号を受信するための受信部と、受信部が第１制御信号を受信した場合と第２制御信号を受信した場合とで所定の動作を実行するときに表示する所定の画像のサイズを変更する画像制御部とを備える。」と記載されている。
【０００３】
さらに、特許文献１の８ページ段落〔００３０〕では、「リモコン１１が備えるボタンのサイズは、リモコン１２が備えるボタンのサイズよりも大きく、また、リモコン１１に記された動作の説明（機能表示）のサイズは、リモコン１２に記された動作の説明のサイズよりも大きい。
【０００４】
これらボタンおよび機能表記のサイズは、通常瞬時にその差を認識できる程度に異なっている。また、リモコン１１が備えるボタンの総数は、リモコン１２が備えるボタンの総数よりも少ない。これらの特徴により、リモコン１１は視認性が高く操作も容易であり、簡単な機能だけ使いたいユーザに適している。
【０００５】
一方、リモコン１２は、視認性および操作性は劣るものの、多くのボタンを備えることで多くの複雑な操作を可能とし、複雑な機能を使いたいユーザに適している。」と記載されている。
【０００６】
【特許文献１】特開２００６−１５７８８５号公報
【発明の開示】
【発明が解決しようとする課題】
【０００７】
近年、電子機器装置や家電製品の情報を入力したり機能を操作するリモートコントロール装置（以下、リモコン）は、ＤＶＤ（Ｄｉｇｉｔａｌ  Ｖｅｒｓａｔｉｌｅ  Ｄｉｓｃ）やハードディスク（ＨＤＤ）を記録媒体として使用した記録再生装置などに適用され、ランダムアクセス性を生かした様々な再生処理、記録処理を行うことができるようになっている。また、デジタル放送の開始とともに多機能化が進んだことにより、記録再生装置を操作するためのリモコンが備えるボタンの数が増加し、操作も複雑化して来ている。ボタンの数が増加するに従い、リモコンが備えるボタンのサイズが小さくなるとともに、ボタンの機能を示すためにボタンの表面または周辺に印刷される表示内容も簡素化されている。
【０００８】
一方、複雑な操作が苦手で基本的な操作だけができればよいというユーザも多くなってきており、このようなユーザにとっては、ボタンの数が多く複雑な操作は、使いづらいことになる。このため、このような基本的な操作だけができればよいユーザのために、上記特許文献１に記載されているような、簡単な機能（基本的な機能）のみを操作するためのリモコン（以下、簡単リモコン）と多くの機能を操作するためのリモコン（以下、標準リモコン）を備えた技術がある。
【０００９】
ところで、多機能化に対応するために１つのボタンに複数の機能を割り当てたり、画面を見ながら複数の機能の内から希望の機能を選択して操作することが行われるようになってきたにも係らず、リモコンに表示されている機能説明用の表示（機能表示）の内容はスペースが大きく取れないので簡単な言葉で表示されているため、操作が苦手なユーザにとっては使いづらいものになっている。例えば、「番組表」というボタンは新聞のテレビ欄のように番組の一覧（番組表）を表示させて、見たいと思う番組を探すことに使われるが、録画したい番組を予約しようとする時にも使用される。
【００１０】
番組を予約録画しようとした時は、「番組表」というボタンを押して放送の番組表を画面に表示させて希望の番組を選択することで予約録画を行うが、操作の苦手なユーザにとって録画（録る）するために番組を予約するという行為（機能操作）と、番組表というボタンの表示内容とでは違うので使いづらいものとなる。操作が苦手なユーザにとってはいろいろな機能は必要なく基本的な機能さえ操作できればよいので、簡単リモコンでは基本的な操作ができるボタンだけを備え、さらにボタンの機能がわかり易く表示されることが望まれている。
【００１１】
このため、簡単リモコンに表示される機能表示は標準リモコンの表示とは変えて、やろうとしている行為に合わせたボタンの表示内容にすることにより、ユーザにわかりやすく使い勝手がよい表示内容にすることが望まれている。例えば、上記の場合、希望の番組を録画（録る）したいという行為のため番組を予約するので、このとき操作するボタンの表示内容は録画（録る）という行為にあった表示にするとユーザにわかりやすい。
【００１２】
しかしながら、上記特許文献１記載の従来技術では、簡単リモコンの表示文字の大きさについては配慮されているが、機能表示の表示内容については配慮されていないため、ボタンの機能が判りづらく使い勝手が悪いという問題があった。
【００１３】
本発明の目的は、標準リモコンと簡単リモコンとを備えたリモートコントロール装置において、標準リモコンと簡単リモコンのボタンの機能表示の表示内容を変えて、簡単リモコンではやりたい行為に合わせた表示内容にすることにより、操作の苦手なユーザにとっても使い勝手の良いリモートコントロール装置を提供することにある。
【課題を解決するための手段】
【００１４】
上記目的は、特許請求の範囲に記載の発明により達成される。
【発明の効果】
【００１５】
本発明によれば、ユーザにとって操作性の向上したリモートコントロール装置を備えた電子機器装置が得られる。
【発明を実施するための最良の形態】
【００１６】
以下、本発明によるリモートコントロール装置を利用したリモートコントロールシステムの一実施例を図１〜図７を用いて説明する。
【実施例１】
【００１７】
図１は本発明によるリモートコントロール装置を備えた電子機器装置であるＨＤＤ内蔵ＤＶＤレコーダの実施例の図を示す。本発明によるリモートコントロール装置を備えた電子機器装置の構成及び動作を図１を用いて説明する。
【００１８】
１０は電子機器装置の本体であるＨＤＤ内蔵ＤＶＤレコーダ、２０は第１のリモートコントロール装置である標準リモコン、３０は第２のリモートコントロール装置である簡単リモコン、４０はＨＤＤ内蔵ＤＶＤレコーダ１０からの映像や各種情報を表示するためのテレビである。
【００１９】
さらに、ＨＤＤ内蔵ＤＶＤレコーダ１０において、１０１はアナログテレビ放送及びまたはデジタルテレビ放送受信用の受信手段、１０２はアナログテレビ放送のアナログの映像信号をデジタルに変換した映像データまたはデジタルテレビ放送の映像データをＭＰＥＧ（Ｍｏｖｉｎｇ  Ｐｉｃｔｕｒｅ  Ｅｘｐｅｒｔｓ  Ｇｒｏｕｐ）方式で映像データを圧縮または記録媒体からの圧縮された映像データを伸張するとともに各種の信号処理を行うデジタル信号処理手段、１０３は記録媒体としてハードディスク（ＨＤＤ）を使用して圧縮された映像データを記録するＨＤＤドライブ、１０４は記録媒体としてＤＶＤを使用して圧縮した映像データを記録するＤＶＤドライブ、１０５は文字やアイコン等の表示用の各種情報を生成してデジタル信号処理手段１０２からの映像信号に重畳または番組表画面等の各種画面を生成するＯＳＤ（Ｏｎ  Ｓｃｒｅｅｎ  Ｄｉｓｐｌａｙ）生成手段、１０６は本ＨＤＤ内蔵ＤＶＤレコーダ１０全体を制御及び各種画面用の情報を生成するための制御手段、１０７はユーザが本ＨＤＤ内蔵ＤＶＤレコーダ１０を操作するときに使用する各種釦等から構成される操作手段、１０８はリモコンからの信号を受信するリモコン入力手段である。
【００２０】
ここで、ユーザは標準リモコン２０または簡単リモコン３０のボタンを操作すると、リモコン入力手段１０８を介して制御手段１０６が操作されたボタンを認識し、ボタンの機能に対応する動作をするための制御を行う。例えば、視聴中の番組を記録する場合は、標準リモコン２０または簡単リモコン３０の録画ボタン（図示せず）を操作すると、受信手段１０１で受信中の番組の映像信号をデジタル信号処理手段１０２で圧縮した映像データにし、ＨＤＤ内蔵ＤＶＤレコーダ１０のモードに応じてＨＤＤドライブ１０３またはＤＶＤドライブ１０４に圧縮した映像データを記録する。
【００２１】
また、希望の番組を録画（録る）するために希望の番組を予約する場合は、標準リモコン２０の番組表ボタン（図示せず）または簡単リモコン３０の録るボタン（図示せず）を操作すると、受信手段１０１で受信した番組情報を元に制御手段１０６で番組表情報を生成しＯＳＤ生成手段１０５で番組表画面を生成し、テレビ４０に表示する。ユーザはテレビ４０に表示される番組表画面から希望の番組を選択し予約すると、予約時間になったときに予約番組がＨＤＤドライブ１０３またはＤＶＤドライブ１０４に記録される。
【００２２】
また、ＨＤＤドライブ１０３に記録されている番組を視聴（見る）する場合は、標準リモコン２０のワケ録ボタン（図示せず）または簡単リモコン３０の見るボタン（図示せず）を操作すると、ＨＤＤドライブ１０３に記録されている番組のサムネイル画一覧情報を制御手段１０６で生成しＯＳＤ生成手段１０５でサムネイル画一覧画面を生成し、テレビ４０に表示する。ユーザはテレビ４０に表示されるサムネイル画一覧画面から希望の番組を選択し再生操作すると、選択された番組の映像データをＨＤＤドライブ１０３から読み出し、デジタル信号処理手段１０２で映像データの伸張及び映像信号への変換を行い、ＯＳＤ生成手段１０５を介してテレビ４０に映像を表示する。
【００２３】
また、ＨＤＤドライブ１０３に記録されている番組を消去（消す）する場合は、標準リモコン２０のゴミ箱ボタン（図示せず）または簡単リモコン３０のゴミ箱ボタン（図示せず）を操作すると、ＨＤＤドライブ１０３に記録され、ゴミ箱に移した番組の一覧情報を制御手段１０６で生成しＯＳＤ生成手段１０５でゴミ箱一覧画面を生成し、テレビ４０に表示する。ユーザはテレビ４０に表示されるゴミ箱一覧画面から消去する番組を選択後標準リモコン２０の赤ボタン（図示せず）または簡単リモコン３０の消すボタン（図示せず）を操作して選択した番組を消去する。
【００２４】
図２は本発明によるリモートコントロール装置の外観図を示す。本発明によるリモートコントロール装置のボタン配置について、図２を用いて説明する。
【００２５】
標準リモコン２０は、ＨＤＤ内蔵ＤＶＤレコーダ１０のほぼ全ての機能を操作するためのボタンが配置されており、電源入切や入力切換等の基本操作を行うための基本操作ボタン群２０１、放送切換やチャンネル選択等の放送番組を受信等するための受信ボタン群２０２、番組を消去するときに操作する赤ボタンを含み各種設定を行うためにメニューなどを呼び出すための設定ボタン群２０３、記録媒体のモードを選択するためのＨＤＤモードボタン／ＤＶＤモードボタンや番組表ボタンやワケ録ボタン等を含み各種機能を起動するための主要機能ボタンと希望番組等を選択するための上下左右のカーソルキーと選択項目を決定するための決定キーとで構成される機能ボタン群２０４、ゴミ箱ボタンを含みＨＤＤドライブ１０３やＤＶＤドライブ１０４の記録再生の操作をするための録画・再生ボタン群２０５、テレビ４０を操作するためのテレビボタン群２０６とが分かれて配置してある。
【００２６】
簡単リモコン３０は、ＨＤＤ内蔵ＤＶＤレコーダ１０の基本的な機能を操作するためのボタンが配置されており、電源入切を行うための電源ボタン３０１、放送番組を受信等するための受信ボタン群３０２、基本的な機能である録るボタン３０７や見るボタン３０８及び希望番組等を選択するための上下左右のカーソルキーと選択項目を決定するための決定キーとで構成される機能ボタン群３０４、ＨＤＤドライブ１０３やＤＶＤドライブ１０４の記録再生の操作をするための録画・再生ボタン群３０５、テレビ４０を操作するためのテレビボタン群３０６とが分かれて配置してある。
【００２７】
ここで、標準リモコン２０の番組表ボタン２０７は簡単リモコン３０では録るボタン３０７に、標準リモコン２０のワケ録ボタン２０８は簡単リモコン３０では見るボタン３０８に、標準リモコン２０の赤ボタン２１０は簡単リモコン３０では消すボタン３１０に表示内容を変えている。
【００２８】
このように、簡単リモコン３０では、希望の番組を録画（録る）するために番組を予約する場合に操作するボタンの機能表示の表示内容を「録る」とし、記録されている番組を視聴（見る）する場合に操作するボタンの機能表示の表示内容を「見る」とし、記録媒体に記録されている番組を消去する場合に操作するボタンの機能表示の表示内容を「消す」としている。このように、簡単リモコン３０ではやりたい行為（機能操作）とボタンの表示内容とがわかりやすいような表現にしているので、操作の苦手なユーザにとっても使い勝手が改善できる。
【００２９】
尚、本実施例では、簡単リモコン３０の機能表示の文字の大きさは標準リモコンの文字の大きさより大きくして、視認性をよくしている。
【００３０】
ここで、本実施例では、表示内容が違っても同じ機能のボタンを押した場合のＨＤＤ内蔵ＤＶＤレコーダ１０へ送信するリモコンコードは標準リモコン２０と簡単リモコン３０とでは同じにしている。例えば、録るボタン３０７と番組表ボタン２０７、見るボタン３０７とワケ録ボタン２０８、消すボタン３１０と赤ボタン２１０は同じリモコンコードとしている。
【００３１】
このようにしている理由は、両リモコンでリモコンコードを新たに変えて認識できるようにした場合は従来のリモコンとの互換性がなくなるという問題があり、リモコンコードを標準リモコン「コード１」簡単リモコン「コード２」のように使い分けた場合はリモコンを変えた時ＨＤＤ内蔵ＤＶＤレコーダ１０が対応するリモコンコードを切り換えなければならなくなり、使い勝手が悪くなるという問題となるからである。
【００３２】
また、本実施例では、テレビボタン群２０６及び３０６は両リモコンの右上部、機能ボタン群２０４及び３０４は両リモコンの中央部、録画・再生ボタン群２０５及び３０５は両リモコンの下部と、主要な同じボタン群は標準リモコン２０と簡単リモコン３０とでほぼ同じ位置に配置してある。このように、両リモコンで配置の統一性を図っているので、簡単リモコン３０を主に使っていたユーザが慣れてきて標準リモコン２０を使用しようとした場合にも、主要機能の操作にまごつくことがなくなり、使い勝手が改善できる。
【００３３】
図３は、本発明による簡単リモコンの正面図を示す。本発明による簡単リモコンのボタンで操作できる機能について、図３を用いてさらに説明する。
【００３４】
簡単リモコン３０は、ＨＤＤドライブ１０３を使用した録画、再生等の基本的な動作ができるようなボタンが配置されており、電源入切を行うための電源ボタン３０１、ＨＤＤドライブ１０３の記録再生の操作をするための停止ボタン／再生ボタン／録画ボタン／早戻しボタン／早送りボタン／３０秒スキップボタンからなる録画・再生ボタン群３０５、テレビ４０用の電源入切ボタン／チャンネルボタン／入力切換ボタン／音量ボタンからなるテレビボタン群３０６、希望の番組を録画（録る）するために番組を予約する場合に操作する録るボタン３０７、ＨＤＤドライブ１０３に記録されている番組を視聴（見る）する場合に操作する見るボタン３０８、ＨＤＤドライブ１０３から消去候補としてゴミ箱へ移動した番組の一覧を表示させるためのゴミ箱ボタン３０９、ゴミ箱にある番組を消去するための消すボタン３１０、放送チャンネルを選局するためのチャンネルボタン３２２、ＢＳ／ＣＳ／地上デジタル／地上アナログ放送等の放送種類を選択する放送切換ボタン３２３、希望の番組や機能等を選択するときに操作する上下左右のカーソルボタン３２４、選択した番組や機能等を決定する決定ボタン３２５、操作を戻す時に操作する戻るボタン３２６が配置されている。
【００３５】
次に、本簡単リモコン３０を使用した操作及び画面表示について、図３及び図５〜図７を用いて説明する。図５は本発明による番組予約時の番組表の画面表示例、図６は本発明によるＨＤＤドライブ１０３に記録されている番組を視聴（見る）する時のワケ録ナビ画面表示例、図７は本発明によるゴミ箱にある番組を消去する時のゴミ箱の画面表示例を示す。
【００３６】
ここで、本発明による簡単リモコン３０及びリモートコントロールシステムでは、操作の苦手なユーザに余分な操作をさせることなく、ＨＤＤドライブ１０３のみを記録媒体として操作できるようにしている。例えば、ＨＤＤ内蔵ＤＶＤレコーダ１０の工場出荷時の記録媒体のモードはＨＤＤモードとなっており、さらに簡単リモコン３０には記録媒体のモードを選択するボタンを配置していないので、間違えてＤＶＤモードに切り換えることがないように配慮されている。これにより、簡単リモコン３０を使用する操作の苦手なユーザにとっては記録媒体の心配をしなくても自動的にＨＤＤドライブ１０３に録画されることになる。
【００３７】
また、ＤＶＤモードになってしまっている場合でも、ＤＶＤドライブ１０４にディスクが装着されていない場合には、ＨＤＤドライブ１０３に代行録画するようになっているので、ユーザは記録媒体の心配をしなくてもＨＤＤドライブ１０３に記録されるようになっているので、使い勝手がよい。
【００３８】
希望の番組を視聴及び視聴中の番組を録画する場合は、電源ボタン３０１を押下し、放送切換ボタン３２３及びチャンネルボタン３２２にて希望の番組を選局すると、テレビ４０にて視聴可能となる。希望の番組を視聴中に録画・再生ボタン群３０５の記録ボタンを押下すると視聴中の番組がＨＤＤドライブ１０３に記録される。
【００３９】
録画したい番組を予約する場合は、録るボタン３０７を押下すると、図５に示すような番組表画面５０１が表示され、カーソルボタン３２４で希望の番組を選択し決定ボタン３２５を押下すると、選択した希望の番組５０２の録画が予約される。尚、本実施例では選択した希望の番組５０２は大きく詳細な説明とともに表示されるようになっており、内容が確認しやすくなっている。
【００４０】
ＨＤＤドライブ１０３に記録されている番組を視聴する場合は、見るボタン３０８を押下すると、図６に示すようなワケ録ナビ画面６０１が表示され、カーソルボタン３２４で希望の番組を選択し決定ボタン３２５を押下すると、選択した番組がテレビ４０に表示され視聴できる。
【００４１】
ここで、ＨＤＤドライブ１０３を使用して録画する場合は、記録媒体の交換等の煩わしさはなくなるが、ハードディスクが一杯になると新しい録画ができなくなってしまうので、簡単リモコン３０にハードディスクの番組のデータを消去するためのボタンを配置している。ＨＤＤドライブ１０３に記録されている番組を消去する場合は、まず見るボタン３０８を押下し図６のワケ録ナビ画面６０１でカーソルボタン３２４で希望の番組を選択し消すボタン３１０を押下すると、選択した番組が消去候補としてゴミ箱に移動する。
【００４２】
その後、ゴミ箱ボタン３０９を押下すると、図７に示すようなゴミ箱画面７０１が表示され、カーソルボタン３２４で希望の番組を選択し決定ボタン３２５を押下すると、選択した番組７０２を消去する。また、ゴミ箱画面７０１で消すボタン３１０を押下すると、ゴミ箱にある全番組のデータを消去することができる。このように、番組を消去する場合、消すという表示のあるボタンを押下すると消去できるので、やりたい行為とボタンの表示内容とがわかりやすく、操作の苦手なユーザにとっても使い勝手が改善できる。
【００４３】
図４は、本発明による簡単リモコンの横拡大図を示し、図４（ａ）はテレビボタン群３０６部分の横拡大図、図４（ｂ）はＡ部詳細図を示す。簡単リモコンの表面処理について図４を用いて説明する。
【００４４】
簡単リモコン３０のボタン側のケースの表面は表面粗さ１１μｍのシボ加工がしてあり、またテレビボタン群３０６のチャンネルボタン３０６１やＴＶ電源ボタン３０６２等の周囲には表面粗さ３μｍの印刷４１２（斜線部）が施された構成としている。すなわち、テレビボタン群３０６の部分は他の部分と表面粗さが違い、テレビボタン群３０６の部分はつるつるしているのに対して他の部分はざらざらしいており、感触でテレビボタン群３０６を区別することが可能となる。
【００４５】
これにより、暗い場所でのリモコンの操作がしやすくなり、使い勝手が向上する。本実施例では、表面がざらざらしているケースに印刷でつるつるの部分を作ることができ、コストアップを抑制して使い勝手の向上を図ることができる。尚、本実施例では、標準リモコン２０のテレビボタン群２０６も同じ構成としており、同様の効果がある。
【００４６】
本実施例では、標準リモコン２０の機能ボタン群２０５にあるＨＤＤボタンまたはＤＶＤボタンを押下することで記録媒体のモードを選択できるが、簡単リモコン３０では記録媒体のモード選択のためのボタンを配置せず間違って選択できないようにしている。これはユーザに記録媒体の煩わしさをかけないようになされており、間違ってＤＶＤモードになるとＤＶＤモードのままとなるので、ＨＤＤドライブ１０３に代行録画するようにしている。
【００４７】
すなわち、本実施例ではＤＶＤモードが選択されるとＤＶＤモードのままとなっているが、ＤＶＤモードから自動的にＨＤＤモードになるようにしても構わない。例えば、電源入または切時にはＨＤＤモードに戻るようにしてもよい。また、ＨＤＤ内蔵ＤＶＤレコーダ１０の未動作または無操作の状態が所定の時間続いたら自動的にＨＤＤモードになるようにしてもよい。また、自動的にＨＤＤモードに戻るかどうかを選択させるようにしてもよい。
【００４８】
本実施例では、電子機器装置としてＨＤＤ内蔵ＤＶＤレコーダ、そのレコーダを操作するためのリモートコントロール装置の場合で説明したが、これに限ったものではなく他の電子機器装置も本発明の範疇に含まれる。例えば、テレビ、空調機等リモートコントロール装置で操作させる電子機器装置を操作するためのリモートコントロール装置であってもよい。
【００４９】
本実施例によれば、標準リモコンと簡単リモコンとを備えたリモートコントロール装置において、標準リモコンと簡単リモコンのボタンの機能表示の表示内容を変えて、簡単リモコンではやりたい行為に合わせた表示内容にすることにより、操作の苦手なユーザにとっても使い勝手が改善できる。
【図面の簡単な説明】
【００５０】
【図１】本発明によるリモートコントロール装置と電子機器装置であるＨＤＤ内蔵ＤＶＤレコーダとで構成されるリモートコントロールシステムのシステム図。
【図２】本発明によるリモートコントロール装置の外観図。
【図３】本発明による簡単リモコンの正面図。
【図４】本発明による簡単リモコンの横拡大図。
【図５】本発明による番組予約時の番組表の画面表示例。
【図６】本発明による番組を視聴（見る）する時のワケ録ナビ画面表示例。
【図７】本発明によるゴミ箱にある番組を消去する時のゴミ箱の画面表示例。
【符号の説明】
【００５１】
１０…ＨＤＤ内蔵ＤＶＤレコーダ、１０１…受信手段、１０２…デジタル信号処理手段、
１０３…ＨＤＤドライブ、１０４…ＤＶＤドライブ、１０５…ＯＳＤ生成手段、
１０６…制御手段、１０７…操作手段、１０８…リモコン入力手段、
２０…標準リモコン、２０１…基本操作ボタン群、２０２、３０２…受信ボタン群、
２０３…設定ボタン群、２０４、３０４…機能ボタン群、
２０５、３０５…録画・再生ボタン群、２０６、３０６…テレビボタン群、
２０７…番組表ボタン、２０８…ワケ録ボタン、２１０…赤ボタン、
３０…簡単リモコン、３０１…電源ボタン、３０７…録るボタン、３０８…見るボタン、
ゴミ箱ボタン３０９、３１０…消すボタン、３２２…チャンネルボタン、
３２３…放送切換ボタン、３２４…カーソルボタン、３２５…決定ボタン、
３２６…戻るボタン、４０…テレビ、５０１…番組表画面、５０２…希望の番組、
６０１…ワケ録ナビ画面、７０１ゴミ箱画面、７０２…選択した番組。
【図１】
2008042788.tif 000003
【図２】
2008042788.tif 000004
【図３】
2008042788.tif 000005
【図４】
2008042788.tif 000006
【図５】
2008042788.tif 000007
【図６】
2008042788.tif 000008
【図７】
2008042788.tif 000009